(57)【要約】      （修正有）【課題】手動操作なしで、簡単なプリセットパスワードに従ってブルートゥース・ヘッドセットに対する音声制御を実現することができるブルートゥース・ヘッドセットを提供する。【解決手段】音声制御ブルートゥース・ヘッドセットは、受話機、記憶モジュール、オフライン音声単語認識モジュール、及びブルートゥースモジュールを含む。オフライン音声単語認識モジュールは、プリセット起動パスワードを受信すると、起動してプリセット音声メッセージを認識し、対応する命令をブルートゥースモジュールに出力する。ブルートゥースモジュールは、他のモジュールに電気的に接続され、システム制御及びブルートゥース伝送のために使用されるとともに、プリセット音声認識モジュールから出力された命令を処理して対応する機能を実行する。【選択図】図１
0003225769.tif 000002
【実用新案登録請求の範囲】
【請求項１】
音声制御ブルートゥース・ヘッドセットであって、受話機（１）、記憶モジュール（２）、オフライン音声単語認識モジュール（３）、及びブルートゥースモジュール  （４）を含み、前記受話機（１）は、ブルートゥースモジュール（４）に電気的に接続されて、オーディオ電気信号と音声信号の変換を実現するために使用され、前記記憶モジュール（２）は、ブルートゥースモジュール（４）に電気的に接続され、システム・ファームウェア及びシステム構成ファイルを記憶するために使用され、前記オフライン音声単語認識モジュール（３）は、ブルートゥースモジュール（４）に電気的に接続され、プリセット起動パスワードを受信すると、起動してプリセット音声メッセージを認識し、対応する命令をブルートゥースモジュール（４）に出力するために使用され、前記ブルートゥースモジュール（４）は、システム制御及びブルートゥース伝送のために使用されるとともに、プリセット音声認識モジュールから出力された命令を処理して対応する機能を実行するために使用される、ことを特徴とする音声制御ブルートゥース・ヘッドセット。
【請求項２】
音量出力制御モジュール（５）を更に含み、前記音量出力制御モジュール（５）は、ブルートゥースモジュール（４）に電気的に接続され、前記音量出力制御モジュール（５）には、複数のプリセット音量出力モードが設定され、ブルートゥースモジュール（４）の命令に従って、ある一つのプリセット音量出力モードがオン又はオフにされる、ことを特徴とする請求項１に記載の音声制御ブルートゥース・ヘッドセット。
【請求項３】
片耳・両耳モードモジュール（６）を更に含み、前記片耳・両耳モードモジュール（６）は、ブルートゥースモジュール（４）に電気的に接続され、前記片耳・両耳モードモジュール（６）には、複数のプリセット片耳・両耳モードが設定され、ブルートゥースモジュール（４）の命令に従って、ある一つのプリセット片耳・両耳モードがオン又はオフにされる、ことを特徴とする請求項１に記載の音声制御ブルートゥース・ヘッドセット。
【請求項４】
音域モードモジュール（７）を更に含み、前記音域モードモジュール（７）は、ブルートゥースモジュール（４）に電気的に接続され、前記音域モードモジュール（７）には、複数の音域モードが設定され、ブルートゥースモジュール（４）の命令に従って、ある一つのプリセット音域モードがオン又はオフにされる、ことを特徴とする請求項１に記載の音声制御ブルートゥース・ヘッドセット。
【請求項５】
ユーザーカスタマイジングモジュール（８）を更に含み、前記ユーザーカスタマイジングモジュール（８）は、ブルートゥースモジュールに電気的に接続され、ユーザーの好みに応じてカスタマイジングモードを設定し、ブルートゥースモジュール（４）の命令に従ってカスタマイジングモードをオン又はオフにするために使用される、ことを特徴とする請求項１に記載の音声制御ブルートゥース・ヘッドセット。
【考案の詳細な説明】
【技術分野】
【０００１】
本考案は、ブルートゥース（登録商標）・ヘッドセット技術の分野に関し、特に、ソフトウェアとハードウェアを分離したブルートゥース音声制御ヘッドセットに関する。
【背景技術】
【０００２】
現在、無線通信に対する需要の高まりに伴い、ブルートゥース・ヘッドセットの適用範囲もますます広くなっている。ブルートゥース・ヘッドセットは、ブルートゥース技術に基づく小型デバイスである。ブルートゥース技術をハンズフリーブルートゥース・ヘッドセットに適用することによって、ユーザーは、煩わしい配線をすることなく、様々な方式で自由に通話することができる。ブルートゥース・ヘッドセットは出現以来、モバイルビジネスの人々が効率を向上させるための優れたツールになっている。
【０００３】
しかしながら、既存のタッチ式ブルートゥース・ヘッドセットの場合、ヘッドセットを制御するとき、ヘッドセットを頻繁にタッチして制御する必要があり、ユーザーの使用体験に影響を及ぼす。一方、ヘッドセットに音声認識モジュールを組み込むコストが高く、ヘッドセットが音声メッセージを認識する時間が長く、ヘッドセットの体積も音声認識モジュールの組み込みにより大きくなる。
【０００４】
従って、本考案は、マンマシンインタラクションを実現することができる音声制御ブルートゥース・ヘッドセットを提供する。
【考案の概要】
【考案が解決しようとする課題】
【０００５】
従来技術の欠点を克服するために、本考案は、ソフトウェアとハードウェアを分離した音声制御ブルートゥース・ヘッドセットを提供する。それは、使用が簡単であり、コストが低い。
【０００６】
本考案がその技術的問題を解決するために採用する技術案は下記のとおりである。
本考案は、本体を含む音声制御ブルートゥース・ヘッドセットを提供する。前記本体には、受話機、記憶モジュール、オフライン音声単語認識モジュール、及びブルートゥースモジュールが設けられる。前記受話機は、ブルートゥースモジュールに接続されて、オーディオ電気信号と音声信号の変換を実現するために使用される。前記記憶モジュールは、ブルートゥースモジュールに接続され、システム・ファームウェア及びシステム構成ファイルを記憶するために使用される。前記オフライン音声単語認識モジュールは、ブルートゥースモジュール４に電気的に接続され、プリセット起動パスワードを受信すると、起動してプリセット音声メッセージを認識し、対応する命令をブルートゥースモジュールに出力するために使用される。前記ブルートゥースモジュールは、システム制御及びブルートゥース伝送のために使用されるとともに、プリセット音声認識モジュールから出力された命令を処理して対応する機能を実行するために使用される。
【０００７】
さらに、音量出力制御モジュールが更に含まれる。前記音量出力制御モジュールは、ブルートゥースモジュールに接続される。前記音量出力制御モジュールには、複数のプリセット音量出力モードが設定され、ブルートゥースモジュールの命令に従って、ある一つのプリセット音量出力モードがオン又はオフにされる。
【０００８】
さらに、片耳・両耳モードモジュールが更に含まれる。前記片耳・両耳モードモジュールは、ブルートゥースモジュールに接続される。前記片耳・両耳モードモジュールには、複数のプリセット片耳・両耳モードが設定され、ブルートゥースモジュールの命令に従って、ある一つのプリセット片耳・両耳モードがオン又はオフにされる。
【０００９】
さらに、音域モードモジュールが更に含まれる。前記音域モードモジュールは、ブルートゥースモジュールに接続され、前記音域モードモジュールには、複数の音域モードが設定され、ブルートゥースモジュールの命令に従って、ある一つのプリセット音域モードがオン又はオフにされる。
【００１０】
さらに、ユーザーカスタマイジングモジュールが更に含まれる。前記ユーザーカスタマイジングモジュールは、ブルートゥースモジュールに接続され、ユーザーの好みに応じてカスタマイジングモードを設定し、ブルートゥースモジュールの命令に従ってカスタマイジングモードをオン又はオフにするために使用される。
【００１１】
本考案の有益な効果は次のとおりである。上記の構造設定により、使用中に、オフライン音声単語認識モジュールは、プリセット起動パスワードを受信すると、起動してプリセット音声メッセージを認識し、対応する命令をブルートゥースモジュールに出力する。ブルートゥースモジュールは、命令に従って対応する機能を実行する。上記構造によれば、本考案は、手動操作なしで、簡単なプリセットパスワードに従ってブルートゥース・ヘッドセットに対する音声制御を実現することができ、使用が簡単で便利である。オフライン音声単語認識モジュールは、簡単なプリセットパスワードを設定することでプリセット音声制御効果を達成することができ、音声認識装置が複雑な音声メッセージを認識するのに必要な比較的長い時間を短縮し、ユーザーのマンマシンインタラクション体験を向上させ、さらに音声認識装置に必要なコストを節約し、製品コストを削減し、ほとんどの一般消費者に適している。
【図面の簡単な説明】
【００１２】
以下、本考案の実施例の技術的手段を更に明らかに説明するために、実施例の説明に必要な図面を簡単に説明する。下記の説明における図面は本考案の複数の実施例に過ぎず、当業者であれば、創造的な労働をしない前提で、これらの図面に基づいて他の図面を得ることができる。以下添付図面と実施例を参照しながら本考案を更に説明する。
【図１】本考案の一実施例のモジュールの模式図である。
【図２】本考案の別の実施例のモジュールの模式図である。
【図３】本考案のＰＣＢボードの模式図である。
【考案を実施するための形態】
【００１３】
図１〜図３を参照されたい。音声制御ブルートゥース・ヘッドセットは、受話機１、記憶モジュール２、オフライン音声単語認識モジュール３、及びブルートゥースモジュール  ４を含む。前記受話機１は、ブルートゥースモジュール４に電気的に接続されて、オーディオ電気信号と音声信号の変換を実現するために使用される。前記記憶モジュール２は、ブルートゥースモジュール４に電気的に接続され、システム・ファームウェア及びシステム構成ファイルを記憶するために使用される。前記オフライン音声単語認識モジュール３は、ブルートゥースモジュール４に電気的に接続され、プリセット起動パスワードを受信すると、起動してプリセット音声メッセージを認識し、対応する命令をブルートゥースモジュール４に出力するために使用される。前記ブルートゥースモジュール４は、システム制御及びブルートゥース伝送のために使用されるとともに、プリセット音声認識モジュールから出力された命令を処理して対応する機能を実行するために使用される。
【００１４】
上記の構造設定により、使用中に、オフライン音声単語認識モジュールは、プリセット起動パスワードを受信すると、起動してプリセット音声メッセージを認識し、対応する命令をブルートゥースモジュールに出力する。ブルートゥースモジュールは、命令に従って対応する機能を実行する。上記構造によれば、本考案は、手動操作なしで、簡単なプリセットパスワードに従ってブルートゥース・ヘッドセットに対する音声制御を実現することができ、使用が簡単で便利である。オフライン音声単語認識モジュールは、簡単なプリセットパスワードを設定することでプリセット音声制御効果を達成することができ、音声認識装置が複雑な音声メッセージを認識するのに必要な比較的長い時間を短縮し、ユーザーのマンマシンインタラクション体験を向上させ、さらに音声認識装置に必要なコスト、製品コストを削減し、ほとんどの一般消費者に適している。
【００１５】
本実施例では、音量出力制御モジュール５を更に含み、前記音量出力制御モジュール５は、ブルートゥースモジュール４に電気的に接続され、前記音量出力制御モジュール５には、複数のプリセット音量出力モードが設定され、ブルートゥースモジュール４の命令に従って、ある一つのプリセット音量出力モードがオン又はオフにされる。プリセット音量出力モードは、０％音量出力モード、２５％音量出力モード、５０％音量出力モード、７５％音量出力モード及び１００％音量出力モードの５つの音量出力モードであってもよい。ブルートゥースモジュール４からの命令に従って、ヘッドセットの音量を命令に対応する音量出力モードに調整する。使用中、ユーザーは必要に応じて適切な音量出力モードを選択して、音量を自分の希望する音量に迅速に調整し、音量を継続的に調整する手間を軽減することができる。
【００１６】
本実施例では、片耳・両耳モードモジュール６を更に含み、前記片耳・両耳モードモジュール６は、ブルートゥースモジュール４に電気的に接続され、前記片耳・両耳モードモジュール６には、複数のプリセット片耳・両耳モードが設定され、ブルートゥースモジュール４の命令に従って、ある一つのプリセット片耳・両耳モードがオン又はオフにされる。プリセット片耳・両耳モードは、左耳が静音モード、右耳が静音モード、及び両耳が静音モードであってもよい。使用中、ユーザーは、必要に応じてモードを選択し、ブルートゥース・ヘッドセットに対して左耳、右耳又は両耳のミュート操作を迅速に行い、会話中に外部の声をスムーズに聞くことができる。
【００１７】
本実施例では、音域モードモジュール７を更に含み、前記音域モードモジュール７は、ブルートゥースモジュール４に電気的に接続され、前記音域モードモジュール７には、複数の音域モードが設定され、ブルートゥースモジュール４の命令に従って、ある一つのプリセット音域モードがオン又はオフにされる。プリセット音域モードは、通常の音域モード、高音強化モード及び低音強化モードであってもよい。ユーザーは、聞く音楽に応じてモードを選択して、高音強化、低音強化又は通常の音域を選択することができる。
【００１８】
本実施例では、ユーザーカスタマイジングモジュール８を更に含み、前記ユーザーカスタマイジングモジュール８は、ブルートゥースモジュールに電気的に接続され、ユーザーの好みに応じてカスタマイジングモードを設定し、ブルートゥースモジュール４の命令に従ってカスタマイジングモードをオン又はオフにするために使用される。ユーザーは、自分の必要に応じてモードを任意に設定し、そのモードの音域、音量及び左右耳モードを設定し、音声命令によりこのプリセットのカスタマイジングモードをオン／オフすることができる。
【００１９】
上記は、具体的な内容を組み合わせて提供される１つ以上の実施形態であり、本考案の具体的な実施がこれらの説明のみに限定されるとは考えられない。本考案の方法や構造などと類似／相似するか、又は本考案の構想を前提とした複数の技術の推定又は置換は、本考案の保護範囲とみなされるべきである。
【図１】
0003225769.tif 000003
【図２】
0003225769.tif 000004
【図３】
0003225769.tif 000005
【手続補正書】
【提出日】令和2年1月29日(2020.1.29)
【手続補正１】
【補正対象書類名】実用新案登録請求の範囲
【補正対象項目名】全文
【補正方法】変更
【補正の内容】
【実用新案登録請求の範囲】
【請求項１】
音声制御ブルートゥース（登録商標）・ヘッドセットであって、受話機（１）、記憶モジュール（２）、オフライン音声単語認識モジュール（３）、及びブルートゥース（登録商標）モジュール（４）を含み、前記受話機（１）は、ブルートゥースモジュール（４）に電気的に接続されて、オーディオ電気信号と音声信号の変換を実現するために使用され、前記記憶モジュール（２）は、ブルートゥースモジュール（４）に電気的に接続され、システム・ファームウェア及びシステム構成ファイルを記憶するために使用され、前記オフライン音声単語認識モジュール（３）は、ブルートゥースモジュール（４）に電気的に接続され、プリセット起動パスワードを受信すると、起動してプリセット音声メッセージを認識し、対応する命令をブルートゥースモジュール（４）に出力するために使用され、前記ブルートゥースモジュール（４）は、システム制御及びブルートゥース（登録商標）伝送のために使用されるとともに、プリセット音声認識モジュールから出力された命令を処理して対応する機能を実行するために使用される、ことを特徴とする音声制御ブルートゥース・ヘッドセット。
【請求項２】
音量出力制御モジュール（５）を更に含み、前記音量出力制御モジュール（５）は、ブルートゥースモジュール（４）に電気的に接続され、前記音量出力制御モジュール（５）には、複数のプリセット音量出力モードが設定され、ブルートゥースモジュール（４）の命令に従って、ある一つのプリセット音量出力モードがオン又はオフにされる、ことを特徴とする請求項１に記載の音声制御ブルートゥース・ヘッドセット。
【請求項３】
片耳・両耳モードモジュール（６）を更に含み、前記片耳・両耳モードモジュール（６）は、ブルートゥースモジュール（４）に電気的に接続され、前記片耳・両耳モードモジュール（６）には、複数のプリセット片耳・両耳モードが設定され、ブルートゥースモジュール（４）の命令に従って、ある一つのプリセット片耳・両耳モードがオン又はオフにされる、ことを特徴とする請求項１に記載の音声制御ブルートゥース・ヘッドセット。
【請求項４】
音域モードモジュール（７）を更に含み、前記音域モードモジュール（７）は、ブルートゥースモジュール（４）に電気的に接続され、前記音域モードモジュール（７）には、複数の音域モードが設定され、ブルートゥースモジュール（４）の命令に従って、ある一つのプリセット音域モードがオン又はオフにされる、ことを特徴とする請求項１に記載の音声制御ブルートゥース・ヘッドセット。
【請求項５】
ユーザーカスタマイジングモジュール（８）を更に含み、前記ユーザーカスタマイジングモジュール（８）は、ブルートゥースモジュールに電気的に接続され、ユーザーの好みに応じてカスタマイジングモードを設定し、ブルートゥースモジュール（４）の命令に従ってカスタマイジングモードをオン又はオフにするために使用される、ことを特徴とする請求項１に記載の音声制御ブルートゥース・ヘッドセット。